(57)【特許請求の範囲】
【請求項１】
曲単位の伴奏音楽データ、歌詞データ、選曲に使用するインデックスデータ及びその楽曲に応じた背景画ジャンルの決定に使用される識別インデックスを格納した楽曲ファイルと、
ジャンル別背景画像データが記録された背景画記録手段と、
楽曲ファイルに格納された曲のインデックスデータを特定する選曲データを入力する入力手段と、
前記選曲データに基づいて選曲された楽曲の伴奏音楽データに基づいて伴奏音楽を出力する伴奏音楽出力手段と、
前記選曲データに基づいて選曲された楽曲の識別インデックスに基づいて決定された背景画ジャンルに応じて、前記背景画記録手段から所定の背景画データを送出する背景画送出手段と、
前記選曲データに基づいて選曲された楽曲の歌詞データに基づいて、歌詞表示データを出力する歌詞表示データ発生手段と、
前記背景画データに歌詞表示データを合成して出力するミキサー手段と、
伴奏音楽データ、背景画像データ及び歌詞映像データを格納した記録媒体を再生し、音楽信号及び映像信号を出力する再生装置と、
前記背景画送出手段及び伴奏音楽出力手段からの出力と前記再生装置からの出力を切り替えてシステムの音楽信号及び映像信号として出力する切替手段と、
前記入力手段から入力された選曲データの種類を判別する判別手段と、を備え、
前記判別手段が前記選曲データを曲のインデックスデータを特定する選曲データと判別した場合、前記切替手段はシステムの音楽信号及び映像信号として前記背景画送出手段及び伴奏音楽出力手段からの出力をシステムの音楽信号及び映像信号として出力し、他方、選曲データを選曲に使用しない特定データと判別した場合、前記切替手段は前記再生装置からの出力をシステムの音楽信号及び映像信号として出力することを特徴とするカラオケシステム。
【発明の詳細な説明】
【０００１】
【発明の属する技術分野】
この発明は、例えば、カラオケ等の歌詞データを伴奏音楽データと共に受信し、それを格納し、必要に応じて伴奏音楽と共に背景画データに歌詞の画像フレーズを画像表示するカラオケシステムに関するものである。
【０００２】
【従来の技術】
業務用カラオケとしては、伴奏音楽と背景画像と歌詞映像とが一対一で対応しているカラオケ楽曲データを格納したカラオケレーザディスクやカラオケビデオＣＤなどの光ディスクに記録したソフト（パッケージ形ソフト）を利用するシステムあり、また最近では通信回線でカラオケソフトを伝送し、カラオケ端末に内蔵した電子機器がバックミュージックを演奏する通信型カラオケシステムがある。
【０００３】
上記したパッケージ形ソフトが収録された光ディスクを利用したものでは、その光ディスクに十数曲を収容しなければ効率が悪いため、新曲が提供される場合でも１曲毎ではなく、ある程度まとまってからでないと提供されない。また、１枚の光ディスクに上述の如く十数曲の楽曲しか収容されないため、業務用として使用する場合には非常に多くの枚数が必要となり、広い保管スペースを要する。
【０００４】
これに対して、通信型カラオケシステムは音楽データ等をホストコンピュータのデータベースに蓄積し、ユーザが必要なデータを通信回線からダウンロードすることにより対応できるため、歌える曲数が多く新曲対応も早くすることができるとともに設置する場所も比較的小さくて良い。このため、通信型カラオケシステムがカラオケシステムの中で注目され普及し始めている。
【０００５】
【発明が解決しようとする課題】
しかしながら、上記の通信型カラオケシステムは、種々の利点があるもの普及してまだ間がないため、従来のパッケージ形ソフトが収録された光学ディスクを用いたカラオケシステムのユーザも多くいるのが現状である。
【０００６】
このようなことから従来のパッケージ形シフトが収録された光ディスクを用いたカラオケシステムのユーザがそのシステムを通信型カラオケシステムに置き換えると、今まで所有している光学ディスクのソフトがすべて無駄になるという問題がある。また、光学ディスクにのみソフトが提供されている曲もあり、通信型カラオケシステムではユーザの要望をすべてかなえることができないという難点もあった。
【０００７】
この発明は、上述した問題点に鑑みなされたものにして、通信型カラオケシステムにおいても従来のパッケージ形ソフトが収録された光ディスクを併用して用いることを可能とした通信型カラオケシステムとして有効に併用利用できるシステムを提供することをその課題とする。
【０００８】
【課題を解決するための手段】
この発明は、曲単位の伴奏音楽データ、歌詞データ、選曲に使用するインデックスデータ及びその楽曲に応じた背景画ジャンルの決定に使用される識別インデックスを格納した楽曲ファイルと、ジャンル別背景画像データが記録された背景画記録手段と、楽曲ファイルに格納された曲のインデックスデータを特定する選曲データを入力する入力手段と、前記選曲データに基づいて選曲された楽曲の伴奏音楽データに基づいて伴奏音楽を出力する伴奏音楽出力手段と、前記選曲データに基づいて選曲された楽曲の識別インデックスに基づいて決定された背景画ジャンルに応じて、前記背景画記録手段から所定の背景画データを送出する背景画送出手段と、前記選曲データに基づいて選曲された楽曲の歌詞データに基づいて、歌詞表示データを出力する歌詞表示データ発生手段と、前記背景画データに歌詞表示データを合成して出力するミキサー手段と、伴奏音楽データ、背景画像データ及び歌詞映像データを格納した記録媒体を再生し、音楽信号及び映像信号を出力する再生装置と、前記背景画送出手段及び伴奏音楽出力手段からの出力と前記再生装置からの出力を切り替えてシステムの音楽信号及び映像信号として出力する切替手段と、前記入力手段から入力された選曲データの種類を判別する判別手段と、を備え、前記判別手段が前記選曲データを曲のインデックスデータを特定する選曲データと判別した場合、前記切替手段はシステムの音楽信号及び映像信号として前記背景画送出手段及び伴奏音楽出力手段からの出力をシステムの音楽信号及び映像信号として出力し、他方、選曲データを選曲に使用しない特定データと判別した場合、前記切替手段は前記再生装置からの出力をシステムの音楽信号及び映像信号として出力することを特徴とする。
【０００９】
この発明は、パッケージ形ソフトのレーザディスクカラオケ、ビデオＣＤカラオケ、ＣＤ−Ｇカラオケなど伴奏音楽データ、背景画像データ及び歌詞映像データを光学ディスクに格納した記録媒体を再生する再生装置を用いる場合には、入力手段で特定の選曲データを入力する。この特定の選曲データが入力されると、システムの映像信号並びに音信号が再生装置からの出力に切り替えられる。このため、再生装置を用いて記録媒体を再生することにより記録媒体に格納されたカラオケを楽しむことができる。
【００１０】
【発明の実施の形態】
以下、この発明の実施の形態につき図面を参照して説明する。図１は、この発明の実施の形態にかかるカラオケシステムの構成を示すブロック図、図２は通信型カラオケの曲単位のフレームデータのファイル構造を示す図である。
【００１１】
図に示すように、電話回線、私設回線等の通信回線を介して、少なくとも伴奏音楽データ、歌詞データ、選曲に使用するインデックスデータ及び背景画像のジャンルを識別する識別インデックス等を有する曲単位のフレームデータを受信し、受信した各曲に関する全データは楽曲ファイル１に格納される。データ伝送は、例えば、新譜の発売日または所定の期間ごとにフレームデータ伝送が行われ、その都度それが楽曲ファイル１に格納される。
【００１２】
この曲単位のフレームデータ３０のファイル構造は、例えば、図２に示すように構成されている。図２に示す例では、フレームデータ３０は、選曲に使用するインデックスデータ等が格納されるヘッダ部３１、背景画のジャンル、例えばポップス、演歌などその楽曲に応じた背景画像を選ぶための識別インデックス等が格納される識別部３２、使用する歌詞コードの文字コードをリストした使用文字コードリスト部３３、コード化した歌詞を格納する歌詞コード部３４、ＭＩＤＩ規格に基づいてコード化された伴奏音楽が格納される伴奏音楽部３５で構成されている。１曲毎に図２に示すようなフレームデータ３０のフォーマットで通信回線から楽曲ファイル１に格納される。
【００１３】
入力手段２はテンキー及び演奏中に他の曲を予約する予約キー、その予約を登録する登録キー、予約を取り消す取り消しキー等を備え、ワイヤレスリモコン並びに本体に設けられたキーボード等で構成される。この入力手段２により予約され、入力された選曲データのコードが登録キーにより登録されると予約メモリ３に格納される。また、取り消しキーにより予約が取り消されると予約メモリ３からそのデータが削除される。
【００１４】
ＭＩＤＩ（Ｍｕｓｉｃａｌ  Ｉｎｓｕｔｕｒｕｍｅｎｔ  Ｄｉｇｉｔａｌ  Ｉｎｔｅｒｆａｃｅ）シーケンサ５は、ＭＩＤＩ規格に基づいてコード化された伴奏音楽データを電子楽器の機能によって伴奏音楽として出力するもので、この発明では第１切替手段６を介して第１ミキサー１２に出力される。第１ミキサー１２にはマイク１０からの信号がアンプ１１を介して増幅された信号が入力されており、伴奏と歌い手の歌唱とを合成し、その第１ミキサー１２の出力はアンプ１３を介してスピーカ１４で出力される。
【００１５】
第１出力メモリ２１または第２出力メモリ２２は、演奏中の場合には、予約メモリ３に格納された２番目に古いデータにより制御手段４が楽曲ファイル１からフレームデータの取り込みを行い、演奏中でない場合には、予約メモリ３に格納された１番古いデータにより楽曲ファイル１からフレームデータの取り込みを行い、楽曲ファイル１から選択曲に関するデータを呼び出し、一時的に格納する。この第１、第２出力メモリ２１、２２は各々の演奏が終了するとそのメモリの内容はクリヤされる。この実施の形態では、結果的に予約する２曲は通常交互に書き込まれる。
【００１６】
尚、選曲予約の状況は制御手段４により液晶パネルなどで構成される表示手段２０に表示されるとともに、必要に応じて、モニタテレビ２５にも表示される。
【００１７】
また、エコー選択手段１５は入力手段２でエコー効果が設定されたときに、エコーテーブル１６に格納されているリバーブ、ディレイの１以上の条件を選択し、それをエコー発生手段１７に設定するように制御手段４がエコー選択手段１５を制御する。エコー発生手段１７では、エコー選択手段１５の設定条件に従ってエコー発生手段１７を動作させ、マイク１０からアンプ１１を介して増幅された信号にエコーをかけ、そのエコーを付与した信号を第１ミキサー１２で合成し、その第１ミキサー１２の出力がアンプ１３を介してスピーカ１４に出力される。
【００１８】
入力手段２のテンキーで入力され、予約メモリ３に格納されたインデックスデータを特定する選曲データに基づいて制御手段４は楽曲ファイル１から対応する曲データを検索する。この発明では、この選曲データとして通常の選曲に使用するインデックスデータと更に、選曲に使用しない特定データを割り与えている。例えば、選曲データとして、”１０００”と入力手段２のテンキーで入力された場合には、このデータは特定データであると制御手段４に予め記憶させておく。そして、制御手段４が予約された選曲を開始する際に、予約メモリ３に格納されている選曲データが特定データであると判断すると後述するように第１及び第２切替手段６、１９を切り替える。
【００１９】
入力手段２のテンキーで入力され、予約メモリ３に格納された選曲データを制御手段４が読み出し、そのデータが通常の選曲を行うインデックスデータであると制御手段４が判断すると、制御手段４は楽曲ファイル１を検索し、楽曲ファイル１の曲単位のフレームデータ３０のヘッダ部３１に格納されているインデックスデータを検索して所定のインデックスデータが格納されている楽曲のフレームデータ３０を読み出し、それを一旦第１出力メモリ２１または第２出力メモリ２２に格納する。さらに、制御手段４は読み出した楽曲のフレームデータ３０の識別部３２に格納された識別インデックスを読み出し、そのインデックスデータからポップス、演歌などその楽曲に応じた背景画ジャンルを決定し、決定した背景画データをジャンル別映像送出手段８に送る。また、背景画像は、例えば、ＣＤ−ＲＯＭフォーマット等の形式でレーザディスクやビデオＣＤ等の光ディスクに記録されたものを用いる。この光ディスクには、例えば、ポップスとか演歌とかいうように楽曲のジャンル毎に編集された背景画像群のみが収録されたジャンル別背景画像データが記録されている。
【００２０】
ジャンル別映像送出手段８には、上記のジャンル別背景画像データが記録された光ディスクの背景映像を再生する背景画プレイヤ２３が接続されている。そして、このジャンル別映像送出手段８は、識別インデックスデータからポップス、演歌などその楽曲に応じて決定された背景画ジャンルに応じてこの背景画プレイヤ２３から所定の背景となる映像を選択し、この映像が第２切替手段１９から第２ミキサー１８を介してモニタテレビ２５に出力される。
【００２１】
また、楽曲ファイル１から第１または第２出力メモリ２１、２２に転送され格納されている歌詞コードデータを制御手段４が歌詞表示データ発生手段７に与える。歌詞表示データ発生手段７は、歌詞をコード化した歌詞コードデータを、ＪＩＳの第１水準、第２水準の漢字、特殊文字のフォントあるいは文字画像フォント等を用いて歌詞の各フレーズを歌詞表示データとし、この歌詞表示データが第２ミキサー１８に出力される。そして、第２ミキサー１８から背景となる映像信号に歌詞がスーパーインポーズされてモニタテレビ６に表示される。尚、この歌詞は演奏と同期して色が変化してモニタテレビ２５に出力される。
【００２２】
さて、この発明では、伴奏音楽と背景映像と歌詞映像とが一対一で対応しているパッケージ形ソフトのカラオケ楽曲データを格納したレーザディスクなどの光ディスクを再生するＡＶプレイヤ２４が接続可能に構成されている。このＡＶプレイヤ２４で再生された映像信号は第２切替手段１９からミキサ−１８を介してモニタテレビ２５に与えられ、ＡＶプレイヤ２４の音楽信号が第１切替手段６を介して第１ミキサー１２からスピーカ１４に与えられる。
【００２３】
前述したように、選曲データとして、選曲を行うインデックスデータではない特定データが予約メモリ３に格納されていると制御手段４は予約されている選曲データが特定データであると判断したときは、ＡＶプレイヤ２４からパッケージ形ソフトの音楽と映像信号を再生するように、第１及び第２切替手段６、１９を切り替える。そして、この場合はユーザがＡＶプレイヤ２４を操作してその光学ディスクに格納されている曲を再生させることで、ＡＶプレイヤ２４から第１切替手段６を介して出力された音楽信号とマイク１０からの歌い手の音声信号をアンプ１１を介して増幅された信号とが第１ミキサー１２で合成され、ＡＶプレイヤ２４の伴奏と歌い手の歌唱とを合成し、その第１ミキサー１２の出力はアンプ１３を介してスピーカ１４で出力される。
【００２４】
一方、モニタテレビ２５にはＡＶプレイヤ２４からの映像信号が第２切替手段１９、第２ミキサー１８を介して与えられ、ＡＶプレイヤ２４からの映像及び歌詞が表示されている。
【００２５】
次に、この実施の形態の動作につき説明する。
【００２６】
入力手段２の予約キーが押され、選曲するデータの数字を入力した後、登録キーを入力することでこの選曲データが予約メモリ３に格納される。また、取り消しキーを押すと予約された選曲データが取り消される。
【００２７】
前述したように、この発明では、この選曲データとして通常の選曲を行うデータと更に、ＡＶプレイヤ２４からの音及び映像をシステムの音及び映像信号として用いるための特定データを割り与えている。例えば、”１０００”とテンキーで入力された場合には、このデータは特定データであると予め記憶されている。制御手段４が予約されている曲の演奏を実行するために、予約メモリ３に格納されている選曲データを読み出し、この選曲データが特定データでない場合には通常の通信型カラオケの選曲動作行い、そして第１及び第２切替手段６、１９をＭＩＤＩシーケンサ５及びジャンル別映像送出手段８からの信号を選択するように切り替える。また、入力された選曲データが”１０００”の特定データであると判断すると、ＡＶプレイヤ２４からの音と映像信号を出力するように、第１及び第２切替手段６、１９を切り替える。
【００２８】
ユーザは通信型カラオケ、即ち、楽曲ファイル１に格納されている曲の演奏を希望する場合には、その楽曲を示す選曲データを入力手段２を用いて入力する。予約メモリ３に格納された選曲データを制御手段４は通常の選曲のためのインデックスデータか特定データかを判断し、この場合は選曲のためのインデックスデータであるので、予約メモリ３に格納されている選曲データに応じて楽曲ファイル１を検索し、楽曲ファイル１からその選曲データに関するデータを呼び出す。
【００２９】
楽曲ファイル１から呼び出されたデータは第１出力メモリ２１または第２出力メモリ２２に一旦格納される。そして、システムが演奏モードであるとき、当該曲を演奏するために、第１出力メモリ２１または第２出力メモリ２２に格納されたデータのヘッダ部３１のインデックスによりその曲が選択される。更に、ジャンル別の背景画の識別インデックスを識別部２から読み取り、背景画ジャンルを決定する背景画データを検出し、それをジャンル別映像送出手段８に送る。ジャンル別映像送出手段８は接続されている背景画プレイヤ２３から所定の背景となる映像を選択し、第２切替手段１９から第２ミキサー１８を介してモニタテレビ２５に出力される。また、第１出力メモリ２１または第２出力メモリ２２に格納されている歌詞データが歌詞表示データ発生手段７に与えられ、歌詞表示データ発生手段７にて歌詞コードデータを歌詞表示データとし、第２ミキサー１８に出力される。そして、第２ミキサー１８から背景となる映像信号に歌詞がスーパーインポーズされてモニタテレビ２５に表示される。
【００３０】
一方、市販のパッケージ形ソフトのカラオケレーザディスクなどの光学ディスクに格納されたカラオケの楽曲やそれに対応している背景画像、歌詞映像にてカラオケを楽しむ場合には、接続されているＡＶプレイヤ２４を用いて曲を再生する。この場合には、ユーザは特定データである”１０００”等の特定コードを入力手段２のテンキーを用いて入力する。前述したように、この発明では選曲データの特定データをＡＶプレイヤ２４からの音楽及び映像をシステムの音楽及び背景画像と歌詞映像の映像信号として用いるためのデータとして与えている。制御手段４が予約されている曲の演奏を実行するために、予約メモリ３に格納されている選曲データを読み出し、この選曲データが特定データであると判断すると、制御手段４は第１及び第２切替手段６、１９をＡＶプレイヤ２４からの音楽信号と映像信号を選択するように切り替える。
【００３１】
そして、この場合には、ユーザはＡＶプレイヤ２４をその都度操作して光学ディスクに格納されている曲を再生させることで、ＡＶプレイヤ２４から第１切替手段６を介して出力された音楽信号とマイク１０からの歌い手の音声信号をアンプ１１を介して増幅された信号とが第１ミキサー１２で合成され、ＡＶプレイヤ２４の伴奏と歌い手の歌唱とを合成し、その第１ミキサー１２の出力はアンプ１３を介してスピーカ１４で出力される。
【００３２】
一方、モニタテレビ２５にはＡＶプレイヤ２４からの映像信号が第２切替手段１９、第２ミキサー１８を介して与えられ、ＡＶプレイヤ２４からの映像及び歌詞が表示される。
【００３３】
上記したように、予約メモリ３に格納された選曲データを制御手段４により、通常の選曲のためのインデックスデータか特定データかを判断し、第１、第２の切替手段６、１９を切り替える。この切り替えのタイミングとしては、例えば、予約メモリ３から特定データを読み出した時点で直ちに切り替えたり、また、制御手段４が第１、第２切替手段６、１９を監視し、ＡＶプレイヤ２４からの音または映像信号が出力されたことを検知した時点で切り替えるように構成しても良い。
【００３４】
更に、切り替えを直ちに行った場合、ＡＶプレイヤ２４の再生をユーザが行うまで、時間がかかる場合がある。そのときには、映像がでるまで、モニタテレビ２５にはなにも表示されないとシステムが故障したと間違われる場合もあるので、例えば、制御回路４は歌詞表示データ発生手段７を用いて第２ミキサー１８から”ただいまレーザディスクに接続しています。”などの表示をモニタテレビ２５行うように構成しても良い。また、ＡＶプレイヤ２４の再生中には、制御回路４が歌詞表示データ発生手段７を用いて第２ミキサー１８からＡＶプレイヤ２４の映像信号にスーパーインポーズして”レーザディスク再生中”等の表示をモニタテレビ２５に行うように構成することもできる。
【００３５】
更に、モニタテレビ２５になにも表示されない時間を極力さけるために、ＡＶプレイヤ２４からの信号の状態を検知し、ＡＶプレイヤ２４からの信号が来るまでは、通信カラオケシステムを用いて何らかの映像及び音楽等を再生し、ＡＶプレイヤ２４から信号を検知したときに切替手段６、１９を切り替えるように制御することで、モニタテレビ２５等には常に何らか映像等を表示させるように構成することもできる。
【００３６】
【発明の効果】
以上説明したように、この発明によれば、レーザディスクカラオケ、ビデオＣＤカラオケ、ＣＤ−Ｇカラオケなど伴奏音楽、背景画像及び歌詞映像データを光学ディスクに格納した記録媒体を再生する再生装置を用いる場合には、入力手段で特定の選曲データを入力することで、システムの映像信号並びに音楽信号が再生装置からの出力に切り替えることができる。このため、再生装置を用いて記録媒体を再生することにより光学ディスクに記録されたカラオケを楽しむことができる。従って、今までのソフトを無駄にすることなくカラオケの楽しみ方の種類が増える。
【図面の簡単な説明】
【図１】この発明の実施の形態にかかるカラオケシステムの構成を示すブロック図である。
【図２】通信型カラオケの曲データのファイル構造を示す図である。
【符号の説明】
１  楽曲ファイル
２  入力手段
３  予約メモリ
４  制御手段
５  ＭＩＤＩシーケンサ
６  第１切替手段
７  歌詞表示データ発生手段
８  ジャンル別映像送出手段
１２  第１ミキサー
１４  スピーカ
１８  第２ミキサー
２３  背景画プレイヤ
２４  ＡＶプレイヤ
２５  モニタテレビ
【図１】
0003679473.tif 000002
【図２】
0003679473.tif 000003